(57)【要約】 【課題】  光源から出射され光記録媒体で反射される波長がそれぞれ異なる２つの光のビームスポットを、光検出器に備わる受光素子の所望の位置に照射させることのできる信号検出信頼性の高い光ピックアップ装置を提供する。【解決手段】  光ピックアップ装置２０に備わる回折格子２７は、光源２３から出射されそれぞれ異なる波長を有する波長λ１の第１光を透過し、波長λ２の第２光を回折する。この回折格子２７は、透過した波長λ１の第１光および回折した波長λ２の第２光を同一の光検出器２９へ導くことができるように配置され、かつ光検出器２９に入射する反射光の光軸に対して直交する矢符３１方向に駆動手段２８によって移動可能に設けられる。【選択図】      図１
2005259204.tif 000002
【特許請求の範囲】
【請求項１】
波長λ１の第１光および波長λ２の第２光を出射することのできる光源と、光源から出射される光を光記録媒体の情報記録面に集光する対物レンズと、光記録媒体で反射された反射光を検出する光検出器と、反射光を光検出器へ導く回折格子とを少なくとも備える光ピックアップ装置において、
回折格子は、
波長λ１の第１光を透過し、波長λ２の第２光を回折する回折格子面を複数備え、
透過した波長λ１の第１光および回折した波長λ２の第２光とを同一の光検出器へ導くことができるように配置され、かつ光検出器に入射する反射光の光軸に対して直交する方向に移動可能に設けられることを特徴とする光ピックアップ装置。
【請求項２】
回折格子に備わる回折格子面は、
断面形状が周期的な凹凸を有し、凹部の透過光と凸部の透過光との位相差が、波長λ１に対して２πの整数倍になり、かつ波長λ２に対して２πの非整数倍になるように形成されることを特徴とする請求項１記載の光ピックアップ装置。
【請求項３】
回折格子面が有する周期的な凹凸の凸部は、
周期の１ピッチあたりに複数の段差部を有し、各段差部における透過光同士の位相差が、波長λ１に対して２πの整数倍になり、かつ波長λ２に対して２πの非整数倍になるように形成されることを特徴とする請求項２記載の光ピックアップ装置。
【発明の詳細な説明】
【技術分野】
【０００１】
本発明は、異なる２種類の光記録媒体に対して情報の記録／再生を行うことができる光ピックアップ装置に関する。
【背景技術】
【０００２】
近年、情報記録の分野においては、光学情報記録方式に関する技術の進展に著しいものがある。この光学情報記録方式は、非接触で記録／再生が行えること、また再生専用型、追記型、書換え可能型などそれぞれのメモリ形態に対応できること等、数々の利点を有するので、安価な大容量メディアを実現し得るものとして、産業用から民生用まで幅広い用途が考えられている。
【０００３】
光学情報記録方式に用いられる記録媒体としては、コンパクトディスク（略称ＣＤ）、デジタルバーサタイルディスク（略称ＤＶＤ）などの光ディスク、またミニディスク（略称ＭＤ）などの光磁気ディスクが、挙げられる。ここでは、光学情報記録方式に用いられるこれらの記録媒体を総称して光記録媒体と呼ぶ。
【０００４】
光記録媒体の情報記録面上に情報を記録または情報記録面上の情報を再生する記録／再生装置に搭載するための光ピックアップ装置が種々提案され、最近では、単一種類の光記録媒体の記録／再生にとどまらず、規格の異なる光記録媒体であるたとえばＣＤとＤＶＤとに対して情報の記録／再生が可能なＣＤ／ＤＶＤ互換型の光ピックアップ装置が製品化されるに至っている。
【０００５】
図５は、規格の異なる２種類の光記録媒体に対して記録／再生が可能な従来の光ピックアップ装置１の構成を簡略化して示す図である。図５に示す従来の光ピックアップ装置１は、たとえばＤＶＤに対する記録／再生に用いられる６５０ｎｍ波長帯のレーザ光を出力する第１半導体レーザ２と、ＣＤに対する記録／再生に用いられる７９０ｎｍ波長帯のレーザ光を出力する第２半導体レーザ３とを備える。
【０００６】
従来の光ピックアップ装置１では、第１半導体レーザ２および第２半導体レーザ３からの出射光は、色合成分離ダイクロイックプリズム４によって光軸が同軸化され、ビームスプリッタ５を透過し、コリメートレンズ６により平行光となり、対物レンズ７によって光記録媒体８であるＣＤまたはＤＶＤの情報記録面に集光される。光記録媒体８によって反射された反射光は、再び対物レンズ７を透過し、コリメートレンズ６によって集光されてビームスプリッタ５へ入射し、ビームスプリッタ５で進行方向を曲げられて、光検出器９を構成する第１受光素子１１または第２受光素子１２に到達する。
【０００７】
このとき、反射光のビームスポットを、第１および第２受光素子１１，１２上の所望の位置で受光できるように、光検出器９の位置を矢符１３ａ，１３ｂ方向に、また第２半導体レーザ３の位置を矢符１４ａ，１４ｂの方向に調整する。第１および第２受光素子１１，１２は、受光した反射光を電気信号に変換して出力し、この出力信号が増幅器で増幅され、さらに自動ゲイン補正回路で増幅利得の補正が行われて信号レベルが一定範囲に調整される。
【０００８】
図６および図７は、規格の異なる２種類の光記録媒体に対して記録／再生が可能なもう一つの従来の光ピックアップ装置１５の構成を簡略化して示す図である。もう一つの従来の光ピックアップ装置１５は、前述した従来の光ピックアップ装置１に類似するので、対応する部分については同一の参照符号を付して説明を省略する。
【０００９】
図６に示すもう一つの従来の光ピックアップ装置１５では、ＤＶＤに対する記録／再生に用いる６５０ｎｍ波長帯の第１半導体レーザ２と、ＣＤに対する記録／再生に用いる７９０ｎｍ波長帯の第２半導体レーザ３とを、１００〜３００μｍ間隔で配置固定した２波長半導体レーザ１６が用いられる。また２波長半導体レーザとして、２つの異なる波長帯のレーザチップを、１チップ内に形成したモノリシック２波長半導体レーザが、用いられるものもある。このような２波長半導体レーザ１６を光源として用いることにより、色合成分離ダイクロイックプリズムなどの光学部品を省くことができるので、部品点数の削減による光ピックアップ装置の小型化を図ることができ、また光学系の設計を簡略化することができる。
【００１０】
しかしながら、図７に示すように、２波長半導体レーザ１６に備えられる第１半導体レーザ２と第２半導体レーザ３とは、その相対位置である配置間隔αに、通常１０μｍ程度の誤差δを有する。したがって、たとえば第１半導体レーザ２から出射されて光記録媒体８で反射された反射光のビームスポットに光検出器９の第１受光素子１１の位置を調整すると、第２半導体レーザ３から出射されて光記録媒体８で反射された反射光のビームスポットに光検出器９の第２受光素子１２の位置を適合させるように調整できなくなるという問題がある。
【００１１】
すなわち、第１半導体レーザ２と第２半導体レーザ３との配置間隔αの誤差δに応じた距離：ｆ（δ）だけ、いずれか一方の反射光のビームスポットと、そのビームスポットを受光するべき受光素子とが所望の位置から外れて受光素子の受光量が少なくなるので、性能および信頼性を低下させ、装置製造上における歩留低下の原因となっている。
【００１２】
ところで、光源からの出射光の光路を所望の方向に変更する光学部品に、反射鏡、プリズム、ホログラム素子、回折格子などがあり、これらの光学部品は、光ピックアップ装置の構成部品として用いられている。光ピックアップ装置の構成部品として用いられるたとえば回折格子は、光路変更部材として、またビームを複数に分岐する光分岐部品としても用いられている（たとえば、特許文献１参照）。
【００１３】
特許文献１に開示される光ピックアップ装置では、回折格子は、格子が形成された部分と、格子が形成されていない部分とを備え、この回折格子を光源から出射される光に対して相対移動させることによって、出射光が、回折格子の格子が形成されている部分、または格子が形成されていない部分のいずれかを通過するように構成される。出射光は、格子形成部分を通過するとき、ビームが３つに回折分岐され、格子が形成されていない部分では１ビームのまま回折分岐されずに通過する。
【００１４】
このように、特許文献１に開示される光ピックアップ装置では、回折格子を出射光に対して相対移動させることによって、出射光を１スポットと３スポットとの両方に可逆的に変更することが可能であり、このことによって、光記録媒体に対して情報を記録／再生時に、光記録媒体のトラックを追随するためのトラッキングエラー信号検出方式として多用されている１スポット法と３スポット法との両検出方式に対応可能である。
【００１５】
しかしながら、特許文献１に提案される光ピックアップ装置は、トラッキングエラー信号検出方式の１スポット法と３スポット法との両検出方式に対応できる技術を開示するけれども、光源から出射される波長が異なる複数の光のそれぞれについて、光記録媒体で反射された光のビームスポットが、光検出器に備わる受光素子の所望の位置に照射されるように調整する技術思想は、何ら開示されていない。
【００１６】
【特許文献１】特開昭６１−１４８６３４号公報
【発明の開示】
【発明が解決しようとする課題】
【００１７】
本発明の目的は、光源から出射され光記録媒体で反射される波長がそれぞれ異なる２つの光のビームスポットを、光検出器に備わる受光素子の所望の位置に照射させることのできる信号検出信頼性の高い光ピックアップ装置を提供することである。
【課題を解決するための手段】
【００１８】
本発明は、波長λ１の第１光および波長λ２の第２光を出射することのできる光源と、光源から出射される光を光記録媒体の情報記録面に集光する対物レンズと、光記録媒体または光磁気記録媒体で反射された反射光を検出する光検出器と、反射光を光検出器へ導く回折格子とを少なくとも備える光ピックアップ装置において、
回折格子は、
波長λ１の第１光を透過し、波長λ２の第２光を回折する回折格子面を複数備え、
透過した波長λ１の第１光および回折した波長λ２の第２光とを同一の光検出器へ導くことができるように配置され、かつ光検出器に入射する反射光の光軸に対して直交する方向に移動可能に設けられることを特徴とする光ピックアップ装置である。
【００１９】
また本発明は、回折格子に備わる回折格子面は、
切断面における断面形状が周期的な凹凸を有し、凹部の透過光と凸部の透過光との位相差が、波長λ１に対して２πの整数倍になり、かつ波長λ２に対して２πの非整数倍になるように形成されることを特徴とする。
【００２０】
また本発明は、回折格子面が有する周期的な凹凸の凸部が、
周期の１ピッチあたりに複数の段差部を有し、各段差部における透過光同士の位相差が、波長λ１に対して２πの整数倍になり、かつ波長λ２に対して２πの非整数倍になるように形成されることを特徴とする。
【発明の効果】
【００２１】
本発明によれば、光ピックアップ装置は、波長λ１の第１光を透過し、波長λ２の第２光を回折する回折格子面を複数備える回折格子を有し、該回折格子は、透過した波長λ１の第１光および回折した波長λ２の第２光を同一の光検出器へ導くことができるように配置され、かつ光検出器に入射する反射光の光軸に対して直交する方向に移動可能に設けられる。
【００２２】
このように構成される光ピックアップ装置では、回折格子を反射光の光軸に対して直交する方向に移動させて好適な位置に配置することによって、回折されることなく回折格子を透過する第１光と、回折格子で回折される第２光とを、同一の光検出器に備わる受光素子の所望の位置に、照射させることができる。このことによって、情報の記録／再生に用いる第１光および第２光のいずれをも、光検出器に備わる受光素子の好適な位置へ照射させることができるので、受光素子は、信号検出に充分な光量を受光することが可能になる。したがって、光検出器で検出される信号の品質に優れ、情報の記録／再生における信頼性の高い光ピックアップ装置が実現される。
【００２３】
また本発明によれば、回折格子に備わる回折格子面は、断面形状が周期的な凹凸を有し、凹部の透過光と凸部の透過光との位相差が、波長λ１に対して２πの整数倍になり、かつ波長λ２に対して２πの非整数倍になるように形成される。このことによって、波長λ１の第１光が、回折格子によって回折されることなく直線透過し、波長λ２の第２光が、回折格子によって回折される。すなわち、波長λ１の第１光に対しては回折格子として作用せず、波長λ２の第２光に対しては回折格子として作用する波長選択性の回折格子が、簡単な構成で実現される。
【００２４】
また本発明によれば、回折格子面が有する周期的な凹凸の凸部が、周期の１ピッチあたりに複数の段差部を有するように形成され、各段差部における透過光同士の位相差が、波長λ１に対して２πの整数倍になり、かつ波長λ２に対して２πの非整数倍になるように形成される。このことによって、波長λ１の第１光に対しては回折格子として作用せず、波長λ２の第２光に対しては回折格子として作用する波長選択性の回折格子が実現される。
【発明を実施するための最良の形態】
【００２５】
図１は、本発明の実施の一形態である光ピックアップ装置２０の構成を簡略化して示す図である。光ピックアップ装置２０は、相異なる２つの波長λ１および波長λ２の２つの光を出射することのできる２波長半導体レーザである光源２３と、光源２３から出射される光を光記録媒体３０の情報記録面に集光する対物レンズ２６と、対物レンズ２６と光源２３との間に設けられて光源２３からの出射光を平行光にするとともに光記録媒体３０によって反射された反射光を集光するコリメートレンズ２５と、光源２３からの出射光を透過するとともに光記録媒体３０からの反射光を反射するビームスプリッタ２４と、波長λ１の第１光を透過し、かつ波長λ２の光を回折する２波長用の回折格子面を複数備える回折格子２７と、ビームスプリッタ２４による反射光であって光検出器２９に入射する反射光の光軸に対して直交する矢符３１方向に回折格子２７を移動させる駆動手段２８と、光記録媒体３０からの反射光を受光検出する前記光検出器２９とを含んで構成される。
【００２６】
２波長半導体レーザである光源２３は、波長λ１の第１光を出射する第１半導体レーザ２１と、波長λ２の第２光を出射する第２半導体レーザ２２と、第１および第２半導体レーザ２１，２２が装着されるステム３２と、ステム３２に装着される第１および第２半導体レーザ２１，２２を覆うようにしてステム３２に装着されるキャップ３３とを含んで構成される。ここでは、第１半導体レーザ２１は、ＤＶＤに対する情報の記録／再生に用いられる波長λ１＝６５０ｎｍの光を出射し、第２半導体レーザ２２は、ＣＤに対する情報の記録／再生に用いられる波長λ２＝７９０ｎｍの光を出射する。光源２３は、情報を記録／再生する対象となる光記録媒体３０の種類に応じて、第１半導体レーザ２１と第２半導体レーザ２２とのいずれか一方に切換えて光を出射するよう構成される。
【００２７】
ビームスプリッタ２４は、たとえばプリズムなどによって形成され、前述のように光源２３から出射される光を透過し、光記録媒体３０による反射光を反射して回折格子２７へ導く。コリメートレンズ２５は、ビームスプリッタ２４を透過して入射する光を平行光にして対物レンズ２６へ入射させるとともに、光記録媒体３０による反射光を集光してビームスプリッタ２４へ入射させる。
【００２８】
光記録媒体３０で反射された反射光であって、さらにビームスプリッタ２４で反射された反射光を受光する光検出器２９は、基板３４上に設けられる２つの第１および第２受光素子３５，３６を備える。第１および第２受光素子３５，３６は、たとえばフォトダイオードなどの光電変換素子からなり、第１受光素子３５が、光記録媒体３０で反射された第１光を受光検出することに用いられ、第２受光素子３６が、光記録媒体３０で反射された第２光を受光検出することに用いられる。第１および第２受光素子３５，３６は、受光検出した光を光量に応じた電気信号に変換し、基板３４に形成される回路を介して、再生信号処理回路、サーボ制御部などへ送出する。この光検出器２９は、矢符４５ａ，４５ｂ方向に位置調整可能に設けられる。
【００２９】
図２は回折格子２７の構成を示す斜視図であり、図３は回折格子２７の構成を示す断面図である。回折格子２７は、ビームスプリッタ２４と光検出器２９との間であって、光記録媒体３０による反射光の光路上に設けられる。回折格子２７は、波長λ１の第１光を透過し、波長λ２の第２光を回折する回折格子面を複数（本実施の形態では３つ）備え、透過した波長λ１の第１光および回折した波長λ２の第２光とを同一の光検出器２９へ導くことができるように配置され、かつ反射光の光軸に対して直交する矢符３１方向に移動可能に構成される。
【００３０】
以下図２および図３を参照して、回折格子２７の構成について説明する。回折格子２７は、１つの回折格子基板３７に複数の回折格子面Ｇ１，Ｇ２，Ｇ３が形成されている。各回折格子面Ｇ１，Ｇ２，Ｇ３は、それぞれ異なる格子ピッチＰ１，Ｐ２，Ｐ３を有するように形成されるので、下記式（１）で表される＋１次回折光の回折角βもそれぞれβ１、β２、β３と異なる。回折角βと、回折格子２７から光検出器２９までの距離Ｌとによって、回折格子２７によって回折される第２光の光検出器２９上における照射位置が決定されるので、第２光の反射光が、第２受光素子３６で受光されるように、波長λ２に応じて回折格子２７に形成する回折格子面のピッチＰを設定すればよい。
ｓｉｎβ＝λ／Ｐ                                                …（１）
【００３１】
なお、本実施の形態の回折格子２７に形成される回折格子面のうち回折格子面Ｇ２には、格子が形成されていないものが選定される。すなわち回折格子面Ｇ２は、言わばピッチＰ２が無限大で格子溝部分のみが形成されているものと例えることができる。この回折格子面Ｇ２は、波長λ１の第１光を用いてＤＶＤに対して情報の記録／再生を行う場合に、回折格子２７によって回折されることのない第１光を透過させることにのみ用いられる。したがって、本実施の形態の回折格子２７において、波長λ１の第１光を回折することなく透過させ、波長λ２の第２光を回折させる回折格子面は、実態として回折格子面Ｇ１および回折格子面Ｇ３の２つということになる。
【００３２】
さらに回折格子２７の詳細な構成を回折格子面Ｇ１について例示する。回折格子２７に備わる回折格子面Ｇ１は、断面形状が凹部３８と凸部３９との周期的な繰返しを有するように形成される。
【００３３】
このように形成される回折格子面Ｇ１における凹凸の繰返しピッチをＰ１とし、凹凸を形成するいわゆる格子溝深さをｄ１とすると、波長λの光に対して、凹部３８を透過する光４０（以後、凹部透過光と呼ぶ）と、凸部３９を透過する光４１（以後、凸部透過光と呼ぶ）との間に生じる位相差φは、下記式（２）で与えられる。
２π（ｎ−１）×ｄ１／λ                                        …（２）
ここで、ｎ：屈折率
【００３４】
回折格子面Ｇ１では、式（２）に基づく凹部透過光４０と凸部透過光４１との位相差が、波長λ１に対して２πの整数倍になり、かつ波長λ２に対して２πの非整数倍になるように形成される。すなわち、回折格子面Ｇ１の格子溝深さｄ１は、第１光の波長λ１＝６５０ｎｍに対しては、（ｎ−１）×ｄ１が波長λ１の整数倍になるように、かつ第２光の波長λ２＝７９０ｎｍに対しては、（ｎ−１）×ｄ１が波長λ２の非整数倍になるように形成される。
【００３５】
このように格子溝深さｄ１を形成することによって、波長λ１の光は回折格子面Ｇ１による位相変化が２πの整数倍であるため回折されることなく直線透過し、波長λ２の光は回折格子面Ｇ１による位相変化が２πの非整数倍であるため回折されるので、波長λ１の第１光に対しては回折格子として作用せず、波長λ２の第２光に対しては回折格子として作用する波長選択性の回折格子２７が実現される。格子溝深さｄ１について、具体的な寸法を例示すると、たとえば屈折率ｎ＝１．５の部材を用いて、（ｎ−１）×ｄ１がλ１と等しくなるように設定する場合、格子溝深さｄ１を１．３μｍとすることによって、波長λ１＝６５０ｎｍの第１光を直線透過し、波長λ２＝７９０ｎｍの第２光のみに対して回折作用を及ぼす回折格子２７が得られる。
【００３６】
この回折格子２７には、回折格子２７を反射光の光軸に対して直交する矢符３１方向に移動させる駆動手段２８が連結される。駆動手段２８には、駆動量を精度高く設定できるたとえばステッピングモータなどが用いられる。
【００３７】
本実施の形態では、第２光として波長λ２＝７９０ｎｍが選択されるけれども、これに限定されることなく、第２光として用いられる任意の波長λ２に応じて用いる回折格子面を、予め定めておき、予め定める該回折格子面が、第２光の反射光の光路上に位置するように、駆動手段２８が回折格子２７を矢符３１方向に移動させる。
【００３８】
本実施の形態の光ピックアップ装置２０においては、回折格子２７で回折されることなく直線透過する第１光で情報の記録／再生を行う場合、前述した格子が形成されない回折格子面Ｇ２が第１光の反射光の光軸上に位置するように、回折格子２７が駆動手段２８によって所定の位置へ移動される。また回折格子２７で回折される第２光で情報の記録／再生を行う場合、たとえば回折格子面Ｇ１が第２光の反射光の光軸上に位置するように、回折格子２７が駆動手段２８によって所定の位置へ移動される。
【００３９】
このように、光ピックアップ装置２０では、第１または第２半導体レーザ２１，２２のいずれから光が出射されているかを、不図示の検出器で検出し、その検出出力を駆動手段２８へ出力することによって、駆動手段２８を動作させ、回折格子２７を矢符３１方向の所定位置へ移動させることができる。
【００４０】
以下、本実施の形態の光ピックアップ装置２０における情報再生動作について簡単に説明する。光源２３の第１半導体レーザ２１から出射した波長λ１の第１光は、ビームスプリッタ２４を透過し、コリメートレンズ２５により平行光となり、対物レンズ２６によって光記録媒体３０の情報記録面に集光される。光記録媒体３０の情報記録面で反射された光は、再び対物レンズ２６を透過し、コリメートレンズ２５により集光されてビームスプリッタ２４によって進行方向を曲げられ、回折格子２７に入射する。このとき、回折格子２７は、駆動手段２８によって、回折格子面Ｇ２が第１光の反射光の光軸上に位置するように移動されている。回折格子２７は波長λ１の第１光に対しては回折格子として作用しないので、波長λ１の第１光は、回折格子２７で回折されることなく通過し、光検出器２９の第１受光素子３５に達する。
【００４１】
一方、光源２３の第２半導体レーザ２２から出射した波長λ２の第２光は、ビームスプリッタ２４を透過し、コリメートレンズ２５により平行光となり、対物レンズ２６によって光記録媒体３０の情報記録面に集光される。光記録媒体３０の情報記録面で反射された光は、再び対物レンズ２６を透過し、コリメートレンズ２５により集光されてビームスプリッタ２４によって進行方向を曲げられ、回折格子２７に入射する。
【００４２】
このとき、回折格子２７は、第２光の反射光を回折させるべく予め選択される回折格子面たとえば回折格子面Ｇ１が、第２光の反射光の光軸上に位置するように駆動手段２８によって移動され、第２光の回折格子面Ｇ１による＋１次回折光４２が光検出器２９の第２受光素子３６に達する。
【００４３】
このようにして、第１光または第２光のいずれの光を用いて情報の再生を行う場合においても、光検出器２９に備わる第１または第２受光素子３５，３６の好適な位置へ、第１光または第２光の反射光を照射させることができるので、第１または第２受光素子３５，３６は、情報の再生（記録の場合も同様）に充分な光量を受光することができる。したがって、光検出器２９で検出される信号の品質に優れ、情報の記録／再生における信頼性の高い光ピックアップ装置２０が実現される。
【００４４】
図４は、本発明の実施の第２形態である光ピックアップ装置に備わる回折格子５０の構成を示す断面図である。本実施の形態の光ピックアップ装置は、回折格子５０を除いて、実施の第１形態の光ピックアップ装置２０と同一に構成されるので、全体構成の図および説明を省略する。
【００４５】
本実施の形態の光ピックアップ装置に備わる回折格子５０の特徴は、回折格子面Ｇ４が有するピッチＰ１で形成される凹凸の凸部５１が、周期の１ピッチＰ１あたりに複数の段差部（本実施の形態では３段：第１〜第３段差部５１ａ，５１ｂ，５１ｃ）を有し、各段差部５１ａ，５１ｂ，５１ｃにおける透過光同士の位相差、および各段差部５１ａ，５１ｂ，５１ｃおける第１〜第３凸部透過光５２ａ，５２ｂ，５２ｃと凹部透過光５３との位相差が、波長λ１に対して２πの整数倍になり、かつ波長λ２に対して２πの非整数倍になるように形成されることである。
【００４６】
本実施の形態では、回折格子５０の凸部５１を構成する各段差部の形成ピッチが（Ｐ１）／４であり、凹凸のピッチＰ１が、凹部５４と第１〜第３段差部５１ａ，５１ｂ，５１ｃとに等分配される。また、回折格子５０は、凹部５４と凸部５１の第１段差部５１ａとの段差および段差部同士の段差がすべてｄ１になるように、すなわち、凹部５４に対する第１段差部５１ａの段差がｄ１、凹部５４に対する第２段差部５１ｂの段差が２×ｄ１、凹部５４に対する第３段差部５１ｃの段差が３×ｄ１になるように形成される。
【００４７】
回折格子面Ｇ４では、凹部透過光５３と各凸部透過光５２ａ，５２ｂ，５２ｃとの位相差、および各凸部透過光同士の位相差が、波長λ１に対して２πの整数倍になり、かつ波長λ２に対して２πの非整数倍になるように形成される。すなわち、回折格子面Ｇ４の段差ｄ１が、第１光の波長λ１＝６５０ｎｍに対しては、（ｎ−１）×ｄ１が波長λ１の整数倍になるように、かつ第２光の波長λ２＝７９０ｎｍに対しては、（ｎ−１）×ｄ１が波長λ２の非整数倍になるように設定される。
【００４８】
段差ｄ１について具体的な寸法を例示すると、たとえば屈折率ｎ＝１．５の部材を用いて、（ｎ−１）×ｄ１がλ１と等しくなるように設定する場合、段差ｄ１を１．３μｍとすることによって、すなわち凹部５４に対する第１段差部５１ａの段差を１．３μｍ、凹部５４に対する第２段差部５１ｂの段差を２．６μｍ、凹部５４に対する第３段差部５１ｃの段差を３．９μｍとすることによって、波長λ１＝６５０ｎｍの第１光を直線透過し、波長λ２＝７９０ｎｍの第２光のみに対して回折作用を及ぼす回折格子５０が得られる。
【００４９】
このような回折格子５０を備える実施の第２形態の光ピックアップ装置においても、実施の第１形態の光ピックアップ装置２０と同様の効果を奏することができるとともに、特定の回折次数の回折効率を向上できるので、用途に応じて種々の設計および製作が可能になる。
【００５０】
以上に述べたように、本実施の形態では、回折格子に形成される凹凸は、単純な段差形状であるけれども、これに限定されることなく、その他のたとえば鋸歯波状のブレーズ格子形状であってもよい。また光ピックアップ装置には、サブビームを形成する回折格子が備えられない構成であるけれども、３ビーム法または差動プッシュプル法などのトラッキング方式を採用する場合、サブビームを形成する回折格子が別途設けられるように構成されてもよい。
【図面の簡単な説明】
【００５１】
【図１】本発明の実施の一形態である光ピックアップ装置２０の構成を簡略化して示す図である。
【図２】回折格子２７の構成を示す斜視図である。
【図３】回折格子２７の構成を示す断面図である。
【図４】本発明の実施の第２形態である光ピックアップ装置に備わる回折格子５０の構成を示す断面図である。
【図５】規格の異なる２種類の光記録媒体に対して記録／再生が可能な従来の光ピックアップ装置１の構成を簡略化して示す図である。
【図６】規格の異なる２種類の光記録媒体に対して記録／再生が可能なもう一つの従来の光ピックアップ装置１５の構成を簡略化して示す図である。
【図７】規格の異なる２種類の光記録媒体に対して記録／再生が可能なもう一つの従来の光ピックアップ装置１５の構成を簡略化して示す図である。
【符号の説明】
【００５２】
２０  光ピックアップ装置
２１，２２  半導体レーザ
２３  光源
２４  ビームスプリッタ
２５  コリメートレンズ
２６  対物レンズ
２７，５０  回折格子
２８  駆動手段
２９  光検出器
３０  光記録媒体
３５，３６  受光素子
３７  回折格子基板
３８，５４  凹部
３９，５１  凸部
４０，５３  凹部透過光
４１，５２  凸部透過光
【図１】
2005259204.tif 000003
【図２】
2005259204.tif 000004
【図３】
2005259204.tif 000005
【図４】
2005259204.tif 000006
【図５】
2005259204.tif 000007
【図６】
2005259204.tif 000008
【図７】
2005259204.tif 000009